(57)【特許請求の範囲】
【請求項１】
筒状の主軸材と、該主軸材を支持する架台と、該架台に一体化させた断面が下向きコ字状の複数の脚支持部と、該脚支持部に枢支される複数の脚とを備えてなる多脚支持台において、
前記架台は、中央に前記主軸材が挿通される挿通孔を有する平板状の基板と、該基板の外周縁に折り目を介して放射状に一体化された複数の連結支持板と、該連結支持板の両側縁に折り目を介して一体化されるとともに切れ目により前記基板から分離された側面支持板とを備え、該側面支持板を前記折り目に沿って下方に折曲することにより断面が下向きコ字状の脚支持部を形成し、前記側面支持板の基板側先端部を前記挿通孔の下方に突出させ、該基板側先端部を前記主軸材下端面に、前記基板の挿通孔縁部を前記主軸材外周にそれぞれ固着させたことを特徴としてなる多脚支持台。
【請求項２】
連結支持板の外側端面に脚の接合端面を当接させることにより脚の開き止めをさせた請求項１に記載の多脚支持台。
【発明の詳細な説明】
【０００１】
【発明の属する技術分野】
本発明は、主に天体望遠鏡やカメラ等の器材を支持するのに用いる三脚等の多脚支持台に関する。
【０００２】
【従来の技術】
一般に、三脚に代表されるこの種の多脚支持台１は、図６に示すように、円筒状の主軸材２と、主軸材２を支持する架台３と、架台に一体化させた断面が下向きコ字状の脚支持部４，４…と、脚支持部４に枢支される脚５，５…とを備えて構成され、主軸材２の上部に取付部材６を固定して、該取付部材６に雲台７に支持された天体望遠鏡８や、その他の被支持物を支持する。また、脚５は、脚支持部４を介して架台３に対し折り畳みが可能で、多脚支持台１を移動させる場合や収納する場合に便利なようになっている。
【０００３】
従来、架台３は、放射状配置に脚支持部４，４…を一体化させた形状に、樹脂成型或いはダイカスト鋳造により一体成型されている。
【０００４】
【発明が解決しようとする課題】
近年では、被支持物であるカメラや天体望遠鏡等の器材は、多種多様に亘って開発、製造されており、それに合わせて製造される三脚等の他脚支持台も多種類必要となり、例えば特殊な器材専用の物など、特定のものは、一種類当たりの生産量が極少量に限られる場合がある。また、試作用に異なった形状のものを各々少数ずつ必要とする場合がある。しかし、上述のような従来の技術では、架台を樹脂成型やダイカスト鋳造するために成形型が必要となり、高価になってしまうという問題があった。
【０００５】
本発明は、このような従来技術の状況を鑑み、少数でも安価に製造することができ、十分な強度を有する多脚支持台の提供を目的とする。
【０００６】
【課題を解決するための手段】
上述の如き従来の問題を解決し、所期の目的を達成するための本発明の特徴は、筒状の主軸材と、該主軸材を支持する架台と、該架台に一体化させた断面が下向きコ字状の複数の脚支持部と、該脚支持部に枢支される複数の脚とを備えてなる多脚支持台において、
前記架台は、中央に前記主軸材が挿通される挿通孔を有する平板状の基板と、該基板の外周縁に折り目を介して放射状に一体化された複数の連結支持板と、該連結支持板の両側縁に折り目を介して一体化されるとともに切れ目により前記基板から分離された側面支持板とを備え、該側面支持板を前記折り目に沿って下方に折曲することにより断面が下向きコ字状の脚支持部を形成し、前記側面支持板の基板側先端部を前記挿通孔の下方に突出させ、該基板側先端部を前記主軸材下端面に、前記基板の挿通孔縁部を前記主軸材外周にそれぞれ固着させたことにある。
【０００７】
尚、連結支持板の外側端面に脚の接合端面を当接させることにより脚の開き止めをすることが好ましい。
【０００８】
【発明の実施の形態】
次に、本発明に係る多脚支持台の実施の形態を図１〜５について説明する。
【０００９】
図１は本発明に係る多脚支持台の実施の一例を示し、符号１０は三脚である。
【００１０】
この三脚１０は、円筒状の主軸材１１と、主軸材１１を支持する架台１２と、架台１２に対して放射状に枢支される脚１３，１３…とを備えて構成される。
【００１１】
主軸材１１は、アルミ鋼材等により円筒状に形成され、その上端部には取付部材１４が固定され、該取付部材１４の中央部分にネジ１５が突出されており、このネジ１５を用いてカメラ装着用アダプタや雲台が三脚１０に固定することができるようになっている。
【００１２】
架台１２は、図２に示すように、中央に主軸材１１が挿通される挿通孔１６を有する円盤状の基板１７と、基板１７の外周縁に放射状に配置され、折り目１８，１８…を介して一体化された脚支持部１９，１９…とを備えて構成され、アルミ鋼材等の板状材をプレス加工することにより形成される。
【００１３】
脚支持部１９は、図３に示すように、基板１７の外周縁に放射状に配置され、折り目１８を介して一体化された連結支持板２０，２０…と、連結支持板２０の両側縁に折り目２１，２１を介して一体形成されるとともに、切れ目２２，２２により基板１７から分離された側面支持板２３，２３とを備えて構成され、この側面支持板２３を折り目２１，２１に沿って下方に折曲させることにより断面が下向きコ字状に形成される。
【００１４】
このとき、切れ目２２は、基板１７の外形に沿って円弧状に入れられ、連結支持板２０及び側面支持板２３をそれぞれ折り目１８及び折り目２１，２１に沿って折曲した際に、側面支持板２３，２３の基板側先端部２３ａ，２３ａは、挿通孔１６の下方に突出するようになっている。
【００１５】
側面支持板２３の中央部には、脚１３を枢支するための枢軸用孔２４が穿孔されている。
【００１６】
脚１３は、図４に示すように、プレス加工により断面が下向きコ字状の棒状に形成され、その架台側端部には枢支部２５を備え、図５に示すように、枢支部２５の側面板２５ａ，２５ａで脚支持部１９を挟み、そこにボルト等の枢軸２６を通すことにより脚支持部１９に枢支されるようになっている。このように構成すると、連結支持板２０の外側端面２０ａに脚１３の接合端面１３ａが当接され、脚１３の開き止めがされる。
【００１７】
このように構成することにより、主軸材１１は、その下端部を挿通孔１６に挿入させると、図５に示すように、主軸材１１の下端部が挿通孔１６の下方に突出した側面支持板２３，２３の基板側先端部２３ａ，２３ａに支持される。ここで、側面支持板の基板側先端部２３ａ，２３ａを主軸材１１の下縁部に、挿通孔１６の縁部を主軸材外周面にそれぞれ溶接等により固着させる。固着（溶接）する位置は、側面支持板の基板側先端部の二点と挿通孔縁部の一点とを結ぶ形状が略三角形となるように固着させる。このように固着させることによって、主軸材１１と架台１２が強固に固定されるとともに、折り目１８を介して脚支持部１９に上向きに作用する曲げ荷重に対して、十分な補強がなされる。
【００１８】
尚、上述の実施例では、基板１７を円盤状に形成した例について説明したが、基板形状は円盤状に限定されず、その他、例えば、平板状の多角形に形成してもよい。また、上述の実施例では、切れ目２２，２２を基板１７の外形に沿って円弧状に入れた例について説明したが、側面支持板２３の基板側先端部２３ａ，２３ａが挿通孔１６の下方に突出し易いような形状に切れ目２２を入れてもよい。
【００１９】
上述の実施例では、三脚について説明したが、脚が三本以上の多脚支持台であってもよい。
【００２０】
また、上述の実施例では、天体望遠鏡を支持する例について説明したが、被支持物は、望遠鏡やカメラ等の器材に限定されず、例えば、ショーケースや譜面台等の支持台としても適用することができる。
【００２１】
【発明の効果】
上述のように、本発明に係る多脚支持台は、筒状の主軸材と、該主軸材を支持する架台と、該架台に一体化させた断面が下向きコ字状の複数の脚支持部と、該脚支持部に枢支される複数の脚とを備えてなる多脚支持台において、前記架台は、中央に前記主軸材が挿通される挿通孔を有する平板状の基板と、該基板の外周縁に折り目を介して放射状に一体化された複数の連結支持板と、該連結支持板の両側縁に折り目を介して一体化されるとともに、切れ目により前記基板から分離された側面支持板とを備え、該側面支持板を前記折り目に沿って下方に折曲することにより断面が下向きコ字状の脚支持部を形成し、前記側面支持板の基板側先端部を前記挿通孔の下方に突出させ、前記主軸材を支持させるようにしたことにより、少数の生産であってもプレス加工により安価に製造することができ、また、多種類の形状に対して容易に対応することができる。
【００２２】
また、側面支持板の基板側先端部を主事材下端面に、基板の挿通孔縁部を主軸材外周にそれぞれ固着させたことにより、架台と主軸材を好適に固定するとともに、脚支持部に折り目を介して上向きに作用する曲げ荷重に対して十分な補強がなされる。
【００２３】
連結支持板の外側端面に脚の接合端面を当接させることにより脚の開き止めをすることにより、構造が簡易化されコストが低減される。
【図面の簡単な説明】
【図１】本発明に係る多脚支持台の実施の一例を示す斜視図である。
【図２】（Ａ）は図１中の架台を示す平面図、（Ｂ）は同側面図である。
【図３】同上の架台を展開した状態を示す平面図である。
【図４】図１中の脚を示す斜視図である。
【図５】図１中の主軸材の支持状態を示す底面図である。
【図６】従来の多脚支持台の一例を示す側面図である。
【符号の説明】
１０  三脚（多脚支持台）
１１  主軸材
１２  架台
１３  脚
１４  取付部材
１５  ネジ
１６  挿通孔
１７  基板
１８  折り目
１９  脚支持部
２０  連結支持板
２１  折り目
２２  切れ目
２３  側面支持板
２３ａ  基板側先端部
２４  枢軸用孔
２５  枢支部
２６  枢軸（ボルト）
【図１】
0003581884.tif 000002
【図２】
0003581884.tif 000003
【図３】
0003581884.tif 000004
【図４】
0003581884.tif 000005
【図５】
0003581884.tif 000006
【図６】
0003581884.tif 000007